(57)【要約】【課題】  実機テスト時における表示データの管理機能を高めることのできる携帯電話用実機テスト装置を提供すること。【解決手段】  入力部と、表示部と、を備える携帯電話の入力部の入力内容を示す操作データに変換可能な情報を入力可能な操作データ入力手段と、操作データ入力手段により入力された操作データに変換可能な情報を操作データに変換する変換制御を行う変換手段と、変換手段により変換された操作データを携帯電話に送信する送信制御を行う送信手段と、携帯電話の表示部に表示されている表示データを取り込む取込手段と、取込手段により取り込んだ表示データを、所定の記録条件が成立したときに記録順序が特定可能に記録する記録制御を行う記録手段と、を備える。【選択図】  図７
2005167595.tif 000002
【特許請求の範囲】
【請求項１】
少なくとも入力部と、表示部と、を備える携帯電話の前記入力部の入力内容を示す操作データに変換可能な情報を入力可能な操作データ入力手段と、
前記操作データ入力手段により入力された前記操作データに変換可能な情報を前記操作データに変換する変換制御を行う変換手段と、
前記変換手段により変換された前記操作データを前記携帯電話に送信する送信制御を行う送信手段と、
前記携帯電話の前記表示部に表示されている表示データを取り込む取込手段と、
前記取込手段により取り込んだ前記表示データを、所定の記録条件が成立したときに記録順序が特定可能に記録する記録制御を行う記録手段と、
を備えることを特徴とする携帯電話用実機テスト装置。
【請求項２】
前記取込手段により取り込んだ前記表示データを前記記録手段にて記録させるために操作される記録操作手段を備え、
前記所定の記録条件は、前記記録操作手段が操作されたときに成立することを特徴とする請求項１に記載の携帯電話用実機テスト装置。
【請求項３】
前記記録手段は、前記操作データ入力手段により入力された前記操作データに変換可能な情報もしくは前記記録操作手段が操作された旨を示す情報を含む複数の入力データを、入力順序及び入力時間間隔を特定可能に記録することを特徴とする請求項１または２に記載の携帯電話用実機テスト装置。
【請求項４】
前記記録手段は、前記操作データに変換可能な情報もしくは前記所定の記録条件が成立した旨を示す情報を含む複数の入力データを入力順序及び入力時間間隔を特定可能に記録し、
前記記録手段に記録された複数の入力データの入力順序及び入力時間間隔に基づいて、前記変換手段による前記変換制御と前記送信手段による前記送信制御、または、前記記録手段による記録制御、を行わせる自動実行手段を備えることを特徴とする請求項１〜３のいずれかに記載の携帯電話用実機テスト装置。
【請求項５】
前記操作データ入力手段は、前記携帯電話の前記入力部の表面形状を模した携帯電話型インタフェースを有し、
前記操作データ入力手段の前記携帯電話型インタフェースと、前記取込手段により取り込んだ前記表示データと、を前記携帯電話における前記入力部と前記表示部の位置関係に基づいて表示する表示手段を備えることを特徴とする請求項１〜４のいずれかに記載の携帯電話用実機テスト装置。
【請求項６】
前記操作データ入力手段は、前記携帯電話の前記入力部の表面形状を模した携帯電話型インタフェースを有し、
前記取込手段は、前記携帯電話の前記表示部を撮像可能な撮像装置を有し、
前記操作データ入力手段の前記携帯電話型インタフェースと、前記取込手段の前記撮像装置により撮像した前記表示部に表示されている前記表示データと、を前記携帯電話における前記入力部と前記表示部の位置関係に基づいて表示する表示手段を備えることを特徴とする請求項１〜５のいずれかに記載の携帯電話用実機テスト装置。
【請求項７】
前記取込手段は、
前記携帯電話の前記表示部を撮像可能な撮像装置と、
前記撮像装置が設けられるケース体と、
から構成される取込装置であり、
前記取込装置のケース体は、
前記ケース体内部に設置された前記撮像装置から撮像可能な距離離間した撮像位置に前記携帯電話の前記表示部を配置するための配置部を有するケース本体と、
前記携帯電話を前記撮像位置にて保持するための弾性変形自在な弾性部材を有する保持体と、
を備えることを特徴とする請求項１〜６のいずれかに記載の携帯電話用実機テスト装置。
【発明の詳細な説明】
【技術分野】
【０００１】
本発明は、表示部と入力部を備え、Ｗｅｂやメール等のインターネットサービスにアクセスすることが可能な携帯電話に係り、特に携帯電話をインターネットサービスへアクセスさせるとともに、アクセスした結果の管理を可能とした実機テスト装置に関する。
【背景技術】
【０００２】
従来、複数種の携帯電話から利用される携帯電話向けインターネットサービス（以下、サービスと称す）にあっては、開発したサービスが、携帯電話の機種ごとに異なる仕様に対応できるとは限らず、同一の操作、例えば、検索サービスへの接続、検索語の入力、検索実行、検索結果表示までの一連の操作を行っても、同一内容の結果が表示されない機種が存在する場合があった。そのため、サービスの開発者は、実際に複数種の携帯電話を操作してサービスを利用し、携帯電話の画面に表示されたデータ（以下、表示データと称す）が操作に伴って意図した通りに変化したか、を確認するいわゆる実機テストを行う必要があった。また、実機テストにおいて表示データが意図しないものであると、表示データが意図したものとなるまでサービスの不具合修正と実機テストが繰り返される。さらに実機テストは、機能向上等を目的としたサービスの改変時や、携帯電話の機種が増加したときにも実施される。
【０００３】
このような実機テストを行う実機テスト装置としては、例えば、複数種の携帯電話に接続できるコンピュータであって、コンピュータのキーボード操作により携帯電話に制御信号を送信し、また、一度送信した制御信号を記録して繰返し送信することで携帯電話の操作を容易にできるとともに、携帯電話に表示データを要求する信号を送信し、携帯電話から表示データを示す信号を受信することにより、操作内容と、操作結果として携帯電話に表示された表示データと、を記録できるようにした実機テスト装置が提案されている（例えば、特許文献１参照）。
【０００４】
【特許文献１】特開２００２−３３５３２０号公報（第２、３頁、第３、４図）
【発明の開示】
【発明が解決しようとする課題】
【０００５】
しかしながら、前述した特許文献１に記載の実機テスト装置においては、携帯電話に対する操作と、操作結果としての表示データと、を実機テストの結果として記録できるようになっているが、表示データの記録契機の設定方法や複数の表示データの記録方法を考慮していなかった。このため、例えば、表示データを時系列で整理して連続的に閲覧して検証したいという要望や、サービス改変後の実機テストにおいて、開発者が要求したときに表示データを記録して、改変個所に関連した表示データのみ管理したいという要望や、サービスの応答時間を検証する実機テストにおいて、利用者が操作してから所定時間後の表示データを自動的に記録したいという要望等、所望の契機で所望の枚数の表示データを記録したいという要望に十分に応えることができなかった。
【０００６】
本発明は、このような問題点に着目してなされたものであり、実機テスト時における表示データの管理機能を高めることのできる携帯電話用実機テスト装置を提供することを目的とする。
【課題を解決するための手段】
【０００７】
上記課題を解決するために、本発明の請求項１に記載の携帯電話用実機テスト装置は、
少なくとも入力部と、表示部と、を備える携帯電話の前記入力部の入力内容を示す操作データに変換可能な情報を入力可能な操作データ入力手段と、
前記操作データ入力手段により入力された前記操作データに変換可能な情報を前記操作データに変換する変換制御を行う変換手段と、
前記変換手段により変換された前記操作データを前記携帯電話に送信する送信制御を行う送信手段と、
前記携帯電話の前記表示部に表示されている表示データを取り込む取込手段と、
前記取込手段により取り込んだ前記表示データを、所定の記録条件が成立したときに記録順序が特定可能に記録する記録制御を行う記録手段と、
を備えることを特徴としている。
この特徴によれば、利用者が、操作データ入力手段を用いて操作データに変換可能な情報を入力すると、変換手段により入力された情報が操作データに変換されて、送信手段により携帯電話に送信される。また、所定の記録条件が成立すると、記録手段によって、取込手段により取り込まれている携帯電話の表示データが記録順序が特定可能に記録される。このため、利用者は、携帯電話を操作できるとともに、操作の結果が意図したものであるかを表示データの変化を順序立てて確認して検証できることから、実機テスト時における表示データの管理機能を高めることができる。
尚、取り込んだ表示データを記録順序を特定可能に記録するとは、表示データを記録順序を示す通し番号や、記録時刻を示す情報と対応付けて記録することである。
【０００８】
本発明の請求項２に記載の携帯電話用実機テスト装置は、請求項１に記載の携帯電話用実機テスト装置であって、
前記取込手段により取り込んだ前記表示データを前記記録手段に記録させるために操作される記録操作手段を備え、
前記所定の記録条件は、前記記録操作手段が操作されたときに成立することを特徴としている。
この特徴によれば、利用者が、記録操作手段を操作すると、記録手段によって、取込手段により取り込まれている携帯電話の表示データが記録される。このため、利用者が要求した表示データのみを管理できることから、例えば、サービス改変後の実機テストにおいて、開発者が要求したときに表示データを記録して、改変個所に関連した表示データのみを管理することが可能となる。
【０００９】
本発明の請求項３に記載の携帯電話用実機テスト装置は、請求項１または２に記載の携帯電話用実機テスト装置であって、
前記記録手段は、前記操作データ入力手段により入力された前記操作データに変換可能な情報もしくは前記記録操作手段が操作された旨を示す情報を含む複数の入力データを、入力順序及び入力時間間隔を特定可能に記録することを特徴としている。
この特徴によれば、利用者の入力内容を実機テスト後に確認できるばかりか、記録操作手段が操作された旨と、記録手段により記録された表示データと、を対応付けることにより、入力データと表示データとを関連づけた表示や、入力データの送信後、表示データの変化が利用者に確認されるまでの時間間隔の確認等が可能となり、実機テスト時における表示データの管理機能を一層高めることができる。
尚、複数の入力データを入力順序及び入力時間間隔を特定可能に記録するとは、入力データに操作時刻を付与して記録することや、入力データに入力順序を示す通し番号とともに、前の入力データが入力されてから当該入力データが入力されるまでの時間間隔、もしくは、当該入力データが入力されてから次の入力データが入力されるまでの時間間隔を付与して記録すること、等である。
【００１０】
本発明の請求項４に記載の携帯電話用実機テスト装置は、請求項１〜３のいずれかに記載の携帯電話用実機テスト装置であって、
前記記録手段は、前記操作データに変換可能な情報もしくは前記所定の記録条件が成立した旨を示す情報を含む複数の入力データを入力順序及び入力時間間隔を特定可能に記録し、
前記記録手段に記録された複数の入力データの入力順序及び入力時間間隔に基づいて、前記変換手段による前記変換制御と前記送信手段による前記送信制御、または、前記記録手段による記録制御、を行わせる自動実行手段を備えることを特徴としている。
この特徴によれば、記録手段に記録しておいた入力データに基づいて、携帯電話への一連の操作と、表示データの記録と、を自動的に実施でき、同一内容の実機テストを容易に何度も実施できる。
【００１１】
本発明の請求項５に記載の携帯電話用実機テスト装置は、請求項１〜４のいずれかに記載の携帯電話用実機テスト装置であって、
前記操作データ入力手段は、前記携帯電話の前記入力部の表面形状を模した携帯電話型インタフェースを有し、
前記操作データ入力手段の前記携帯電話型インタフェースと、前記取込手段により取り込んだ前記表示データと、を前記携帯電話における前記入力部と前記表示部の位置関係に基づいて表示する表示手段を備えることを特徴としている。
この特徴によれば、利用者は、携帯電話を操作する場合と同様の操作で、携帯電話の操作データに変換可能な情報を入力できるばかりか、携帯電話を見る場合と同様の視認動作で表示データを確認でき、実機テストを一層容易に進められる。
【００１２】
本発明の請求項６に記載の携帯電話用実機テスト装置は、請求項１〜５のいずれかに記載の携帯電話用実機テスト装置であって、
前記操作データ入力手段は、前記携帯電話の前記入力部の表面形状を模した携帯電話型インタフェースを有し、
前記取込手段は、前記携帯電話の前記表示部を撮像可能な撮像装置を有し、
前記操作データ入力手段の前記携帯電話型インタフェースと、前記取込手段の前記撮像装置により撮像した前記表示部に表示されている前記表示データと、を前記携帯電話における前記入力部と前記表示部の位置関係に基づいて表示する表示手段を備えることを特徴としている。
この特徴によれば、利用者は、前記携帯電話型インタフェースにより携帯電話を操作する場合と同様の操作が可能なばかりか、携帯電話の表示部の表示内容が撮像装置により撮像されてそのまま表示されているため、携帯電話に手や視線を移動させずに携帯電話の実機テストを実施でき、実機テストを一層容易に進められる。
【００１３】
本発明の請求項７に記載の携帯電話用実機テスト装置は、請求項１〜６のいずれかに記載の携帯電話用実機テスト装置であって、
前記取込手段は、
前記携帯電話の前記表示部を撮像可能な撮像装置と、
前記撮像装置が設けられるケース体と、
から構成される取込装置であり、
前記取込装置のケース体は、
前記ケース体内部に設置された前記撮像装置から撮像可能な距離離間した撮像位置に前記携帯電話の前記表示部を配置するための配置部を有するケース本体と、
前記携帯電話を前記撮像位置にて保持するための弾性変形自在な弾性部材を有する保持体と、
から構成されることを特徴としている。
この特徴によれば、ケース本体の配置部に携帯電話の表示部を配置し、配置された携帯電話を保持体にて保持することで、利用者は携帯電話と撮像装置との位置調整を行うことなく、表示部に表示されている表示データを記録することができるため、実機テストを一層容易に進められるばかりか、保持体には携帯電話の形状に合わせて変形可能な弾性部材が設けられていることで、外観形状が異なる複数機種の携帯電話でも確実に保持することができる。
【発明を実施するための最良の形態】
【００１４】
本発明の実施例を以下に説明する。
【実施例１】
【００１５】
図１は、本発明が適用される第１実施例としての携帯電話用実機テスト装置の構成を示す図であり、実機テストにおいて各種情報の入出力や記録を行うコンピュータ１は、取込装置３に設置された携帯電話２と通信ケーブル４を介して接続されており、種々のデータの送受信が行えるようになっている。
【００１６】
図２に示すように、取込装置３は、合成樹脂材等にて構成された箱状のケース本体３ａと、ケース本体３ａの上部に開閉自在に設けられた保持体としての保持蓋３０２と、ケース本体３ａに内設され、コンピュータ１と撮像ケーブル５を介して接続された撮像装置３０１と、から構成されている。
【００１７】
ケース本体３ａ内部における下板の上面には撮像装置３０１が上向きに設置されているとともに、該下板から所定距離離間した上方位置に設けられた上板の一部には、透光性を有する透明部３０４が設けられており、携帯電話２の表示部２０２を透明部３０４に対向させた状態でこの上板の上面に携帯電話２を配置することで、表示部２０２に表示される表示データを透明部３０４を透して撮像装置３０１にて撮像できるようになっている。すなわち、ケース本体３ａの上板（透明部３０４）は、下方の撮像装置３０１にて撮像可能な撮像位置に携帯電話２を配置するための配置部を構成している。
【００１８】
また、ケース本体３ａには、前記上板に配置される携帯電話２を該配置位置に保持する保持蓋３０２（保持体）が蝶番等を介して上板の上面に対して開閉自在に取付けられているとともに、この保持蓋３０２の内面には、弾性変形自在な発泡樹脂材等からなる弾性部材３０３が取付けられている。
【００１９】
このように保持蓋３０２が配置部としての上板に対して開閉自在に設けられることで、保持蓋３０２を開放した状態で上板の上面に携帯電話２の表示部２０２を配置して配置後に保持蓋３０２を閉じることで、携帯電話２を保持蓋３０２にて保持することができるため、撮像の度に携帯電話２と撮像装置３０１との位置調整を行うことなく、表示部２０２の表示内容を容易に撮像することができる。
【００２０】
また、保持蓋３０２の内面には弾性部材３０３が取付けられていることで、外観形状が異なる複数機種の携帯電話２が上板に配置されても携帯電話２の形状に合わせて弾性部材３０３が変形することで、形状の異なる携帯電話２に対しても均一な荷重をかけることができ、保持蓋３０２を閉めたときの位置に携帯電話２を安定して保持することができる。
【００２１】
図３は、本実施例の携帯電話用実機テスト装置の構成を示すブロック図が示され、図１のコンピュータ１には、所定の手順で演算を行うＣＰＵ、ＣＰＵの制御プログラムや各種データテーブル等を格納するＲＯＭ、必要なデータの書き込み及び読み出しを行うＲＡＭを備える制御部１０１と、後述する携帯電話型インタフェース１１０（図４参照）に基づいて利用者からの入力を受付可能な入出力装置（本実施例では、ディスプレイ１０２ａ、キーボード１０２ｂ、マウス１０２ｃ）を備えた入出力部１０２と、各種情報を記録する記録部１０３と、通信ケーブル４を介して携帯電話２と通信するための通信部１０４と、撮像ケーブル５を介して取込装置３と通信するための通信部１０５と、から構成されている。制御部１０１は、入出力部１０２を介して入力された各種データに基づいて、通信部１０４を介した携帯電話２の各種制御や、通信部１０５を介した取込装置３の撮像装置３０１からの撮像情報の受信ができるようになっている。
【００２２】
図１に示す携帯電話２は、液晶等からなる表示部２０２と、ボタン等からなる入力部２０３と、コンピュータ１と通信するための通信部２０４と、これらを制御する制御部２０１と、から構成されている。
【００２３】
図１に示す取込装置３は、撮像装置３０１を有しており、撮像装置３０１はコンピュータ１に接続され、撮像情報が常時送信されるようになっている。
【００２４】
図４は、実機テストを行う利用者に対して、コンピュータ１が表示する携帯電話型インタフェース１１０の一例を示しており、図５は、図４に示す携帯電話型インタフェース１１０を用いて実施された実機テストの一例を示している。また、図６は、図３の記録部１０３に記録された複数の入力データからなる操作記録（実機テスト１回分）の一例を示している。まず、これら図４〜６に基づいて、本実施例の携帯電話用実機テスト装置の使用方法の一例について説明する。
【００２５】
本実施例の携帯電話用実機テスト装置の利用者は、利用に際して、図１に示すように、携帯電話２を通信ケーブル４に接続するとともに、携帯電話２を取込装置３に設置する。まず、携帯電話２を取込装置３に設置した後には、携帯電話２の表示部２０２に表示されている表示データが、図２に示す撮像装置３０１により撮像されて、図４に示す携帯電話型インタフェース１１０の画像表示ブロック１１２に、常時表示されるようになる。
【００２６】
また、携帯電話２を通信ケーブル４に接続した後には、コンピュータ１により携帯電話２から機種を特定可能な情報が受信され、図３の記録部１０３に記録された携帯電話機種別情報に基づいて携帯電話２の機種名が特定される。その後、図４に示すように機種名１２０に表示される。
【００２７】
機種名１２０に機種名が表示されると、利用者は図４のテスト開始ボタン１１４を操作して実機テストを開始する（図５（１））。この実機テストの開始からテスト終了ボタン１１５が操作されて実機テストが終了されるまで、利用者が操作した操作内容と操作時刻とからなる複数の入力データが、図６に示すように、図３の記録部１０３に操作記録として記録されるようになっている。このため、記録部１０３の操作記録により一連の操作内容、順序（時刻の順序）、時間間隔（時刻の差）が把握可能となっている。
【００２８】
実機テストを開始すると、利用者は、まず、図４のアドレス接続操作ブロック１１９を操作して、実機テストの対象となる携帯電話向けインターネットサービス（以下、サービスと称す）のアドレスを入力するとともに（図５（２））、入力したアドレスへの接続操作を行う（図５（３））。
【００２９】
その後、携帯電話２は利用者が入力したアドレスに接続して、サービスから情報を受信する。サービスからの受信が完了すると（本実施例では、図５（４）に示すように接続から受信完了まで８秒）、図４に示すように画像表示ブロック１１２に受信情報を含む表示データが表示されて、サービスへの入出力を伴う実機テストを行う。
【００３０】
実機テストの実施中に、利用者は、撮影ボタン１１１、携帯電話型ボタン１１３、文字送信操作ブロック１１８、アドレス接続操作ブロック１１９、テスト終了ボタン１１５のいずれかを操作することとなる。
【００３１】
実機テストにおいて、利用者が撮影ボタン１１１を操作すると（図５（５））、画像表示ブロック１１２に表示されている表示データ、すなわち携帯電話２の表示部２０２に表示されている表示データが取込画像ファイルとして図３の記録部１０３に記録されて、取込画像ファイルのファイル名（取込画像ファイル名）と、撮影ボタン１１１が操作された旨と、操作時刻と、からなる入力データが、図６に示すように（例えば、２００３／１１／１５  １３：５５：１３、撮像、ＸＸ．・・・＿０１．ｊｐｇ）、記録部１０３の操作記録に記録される。このため、操作記録中の入力データにおいて、撮影操作がされた旨と、撮影操作に基づき取り込まれた画像とが、取込画像ファイル名を介して関連付けられている。
【００３２】
また、実機テストにおいて、利用者が携帯電話型ボタン１１３、文字送信ブロック１１８、アドレス接続操作ブロック１１９のいずれかを操作すると、操作内容が携帯電話２の入力部２０３の入力内容を示す操作データに変換され、携帯電話２に送信される。例えば、図５（６）に示すように、画像表示ブロック１１２においてログインＩＤフィールドにカーソルがあるときに、文字送信ブロック１１８に「ａｂｃｄ」を入力して「文字を送信する」ボタンを操作すると、携帯電話２の入力部２０３から「ａｂｃｄ」、「決定」が入力された旨を示す操作データが携帯電話２に送信されて、ログインＩＤフィールドに「ａｂｃｄ」が表示され、カーソルがパスワードフィールドに移動することとなる。
【００３３】
また、図５（７）に示すように、画像表示ブロック１１２においてカーソルがパスワードフィールドにあるときに、携帯電話型ボタン１１３の「１」ボタン、「２」ボタン、「３」ボタン、「４」ボタン、「決定」ボタンを順次操作すると（図５（７））、携帯電話２の入力部２０３から「１」、「２」、「３」、「４」、「決定」が入力された旨を示す操作データが携帯電話２に送信されて、パスワードフィールドに「１２３４」が表示され、カーソルが送信ボタンに移動することとなる。
【００３４】
このように、利用者は携帯電話型インタフェース１１０を用いて、例えば、図５（６）〜図５（２２）に示すように、正規のログインＩＤ及びパスワードが入力されたときログインが正常に行われるかの実機テストや（図５（６）〜図５（１２））、不正なログインＩＤ及びパスワードが入力されたときログインが正常に行われないかの実機テストを（図５（１６）〜図５（２３））実施できるようになっている。
【００３５】
また、利用者がテスト終了ボタン１１５を操作すると（図５（２３））、実機テストは終了する。
【００３６】
実機テストの終了に際しては、図３の記録部１０３に記録されている複数の入力データに対して、実機テスト１回分の操作記録として識別名（例えば、「テスト１」）が付与されて、この識別名が再テストブロック１１６、結果確認ブロック１１７の識別名リストに追加して表示されるようになっている。
【００３７】
また、利用者が、図４の再テストブロック１１６に表示されている過去の実機テストの識別名（例えば、「テスト１」）を選択して、再テストブロック１１６の再テストボタンを操作すると、選択された識別名に基づいて、図３の記録部１０３から複数の入力データからなる過去の操作記録が抽出されて、各入力データの操作内容、順序、時間間隔に基づいて、過去の実機テストが再現される。
【００３８】
また、利用者が、図４の結果確認ブロック１１７に表示されている過去の実機テストの識別名（例えば、「テスト１」）を選択して、結果確認ブロック１１７の結果確認ボタンを操作すると、選択された識別名に基づいて、図３の記録部１０３から複数の入力データからなる過去の操作記録が抽出されて、各入力データの操作内容、順序、取込画像ファイル名に基づいて、過去の実機テストの操作内容、順序、取込画像ファイルが、例えば図５に示すように、表示される。
【００３９】
図７は、本実施例のコンピュータ１の制御部１０１が行うメイン処理のフローチャートを示している。
【００４０】
まず、Ｓ１のステップにおいて、携帯電話２が通信ケーブル４に接続されるまで待機する。携帯電話２が接続されると、携帯電話２から機種を特定可能な情報を受信し、受信した情報に基づいて、図４の携帯電話型インタフェース１１０の機種名１２０を更新するとともに、図３の記録部１０３に記録される携帯電話機種別情報を参照して、機種に固有に定められた操作データ（例えば、携帯電話２において「１」が入力された旨を示す信号等）を特定する。さらに、図２の撮像装置３０１は、携帯電話２の表示部２０２に表示されている表示データを撮像するようになり、図３の制御部１０１は、撮像された携帯電話２の表示データを取り込み、図４の画像表示部１１２に常時表示する。すなわち、制御部１０１、取込装置３（撮像装置３０１）は、本発明の取込手段を構成する。また、制御部１０１、携帯電話型インタフェース１１０（表示ブロック１１２、携帯電話型ボタン１１３）は、本発明の表示手段を構成する。
【００４１】
次いで、図４のテスト開始ボタン１１４、再テストブロック１１６、結果確認ブロック１１７のいずれかが操作されるまで待機する（Ｓ２〜Ｓ４）。
【００４２】
Ｓ２〜Ｓ４において、図４のテスト開始ボタン１１４が操作されると（Ｓ２）、実機テストにおける一連の操作を新規に記録開始する旨、すなわち記録部１０３の操作記録にテスト開始ボタン１１４が操作された旨を示す入力データを記録する。そして、撮影ボタン１１１、または携帯電話型ボタン１１３、文字送信操作ブロック１１８、アドレス接続操作ブロック１１９のいずれか、またはテスト終了ボタン１１５、が操作されるまで待機する（Ｓ８〜Ｓ１０）。
【００４３】
Ｓ８〜Ｓ１０において、図４の撮影ボタン１１１が操作されると（Ｓ８）、図２の撮像装置３０１から取り込んだ画像に取込画像ファイル名を付与し、取込画像ファイルとして記録部１０３に保存する（Ｓ１１）。そして、撮影ボタン１１１が操作された旨と、操作時刻と、取込画像ファイル名とからなる入力データを記録部１０３の操作記録に記録する（Ｓ１２）。すなわち、制御部１０１（Ｓ８）、図４の携帯電話型インタフェース１１０（撮影ボタン１１１）は、本発明の記録操作手段を構成する。また、制御部１０１（Ｓ１１）、記録部１０３（入力データ、取込画像ファイル）、図４の携帯電話型インタフェース１１０（撮影ボタン１１１）は、本発明の記録手段を構成する。
【００４４】
また、Ｓ８〜Ｓ１０において、図４の携帯電話型ボタン１１３、文字送信操作ブロック１１８、アドレス接続操作ブロック１１９のいずれかが操作されると、まず、携帯電話型ボタン１１３、文字送信操作ブロック１１８、アドレス接続操作ブロック１１９のいずれかが操作された旨（例えば、「１」ボタンが操作された旨）を、記録部１０３に記録される携帯電話機種別情報に基づいて、対応する操作データ（例えば、携帯電話２において「１」が入力された旨を示す信号等）に変換する（Ｓ１３）。そして、変換された操作データを、通信ケーブル４を介して携帯電話２に送信し（Ｓ１４）、携帯電話型ボタン１１３、文字送信操作ブロック１１８、アドレス接続操作ブロック１１９のいずれかが操作された旨と時刻からなる入力データを記録部１０３の操作記録に記録する（Ｓ１５）。すなわち、図４の携帯電話型インタフェース１１０（携帯電話型ボタン１１３、文字送信操作ブロック１１８、アドレス接続操作ブロック１１９）は、本発明の操作データ入力手段を構成する。また、制御部１０１（Ｓ１３）、記録部１０３（携帯電話機種別情報）は、本発明の変換手段を構成する。また、制御部１０１（Ｓ１４）は、本発明の送信手段を構成する。
【００４５】
また、Ｓ８〜Ｓ１０において、テスト終了ボタン１１５が操作されると、テスト終了ボタン１１５が操作された旨と、操作時刻とからなる入力データを記録部１０３の操作記録に記録するとともに、テスト開始から終了までの実機テスト１回分の入力データからなる操作記録に新たな識別名（例えば、「テスト１」）を付与する（Ｓ１５）。この付与された識別名は、図４の再テストブロック１１６、結果確認ブロック１１７の識別名リストに追加され、新たに記録された実機テストに基づく再テストや結果確認ができるようになっている。その後、Ｓ２〜Ｓ４に移行して、次の実機テストが開始されるか、過去の実機テストに基づく再テストや結果確認が行われるまで待機する。
【００４６】
Ｓ２〜Ｓ４において、再テストブロック１１６が操作されると（Ｓ３）、再テストブロック１１６において選択された識別名に基づいて記録部１０３に記録された複数の入力データからなる操作記録を特定した後（Ｓ６）、Ｓ８〜Ｓ１０に移行し、特定した操作記録に基づいて過去の実機テストを実施する。すなわち、再テストボタンの操作により過去の実機テストを実施する制御部１０１は、本発明の自動実行手段を構成する。
【００４７】
また、Ｓ２〜Ｓ４において、結果確認ブロック１１７が操作されると（Ｓ３）、結果確認ブロック１１７において選択された識別名に基づいて記録部１０３に記録された複数の入力データからなる操作記録を特定し、特定した操作記録に基づいて、例えば図５に示すように、入力内容、順序、取込画像ファイルを表示して（Ｓ７）、再びＳ２〜Ｓ４に移行する。
【００４８】
以上説明したように、本実施例の携帯電話用実機テスト装置では、利用者が、図４の携帯電話型インタフェース１１０を操作すると、この携帯電話型インタフェース１１０を操作した旨を示す情報が、図３の記録部１０３に記録された携帯電話機種別情報に基づいて携帯電話２の入力部２０３からの入力内容を示す操作データに変換され、通信ケーブル４を介して携帯電話２に送信される。また、利用者が図４の撮影ボタン１１１を操作すると、撮像装置３０１から撮像ケーブル５を介して取り込まれている携帯電話２の表示部２０２に表示されている表示データに、取込画像ファイル名が付与されて、記録部１０３に取込画像ファイルとして記録される。また、取込画像ファイル名は、撮影ボタン１１１が操作された旨及び操作時刻とともに、入力データとして記録部１０３の操作記録に記録されており、取込画像ファイルの記録順序（操作時刻順）を特定可能になっている。このように、利用者は、携帯電話型インタフェース１１０を用いて携帯電話２を操作できるとともに、例えばＷｅｂやメール等のインターネットサービスに対して、利用者が携帯電話により一連の入力をしたときに、インターネットサービスが正しく入力を処理をして表示データを変化させたかを、入力データに基づいて取込画像ファイルを並べることで容易に確認できることから、実機テスト時における取込画像ファイルの管理機能を高めることができる。
【００４９】
また、利用者が、図４の撮影ボタン１１１を操作すると、図２の撮像装置３０１から撮像ケーブル５を介して取り込まれている携帯電話２の表示部２０２に表示されている表示データに、取込画像ファイル名が付与され、図３の記録部１０３に取込画像ファイルとして記録される。このため、利用者が撮影ボタン１１１を操作したときに携帯電話２の表示部２０２に表示されている表示データのみを管理できることから、例えば、サービス改変後の実機テストにおいて、開発者が改変個所に関連すると判断して撮影ボタン１１１を操作することにより、開発者が要求した画像を記録でき、改変個所に関連した取込画像ファイルのみを管理することが可能となる。
【００５０】
また、図３の記録部１０３には、図４の携帯電話型インタフェース１１０を用いて入力された内容を示す複数の入力データが操作記録として記録されるため、利用者は入力内容を実機テスト後に確認できるばかりか、図４の撮影ボタン１１１が操作された旨と、図２の撮像装置３０１により取り込まれている表示データが記録された取込画像ファイルの取込画像ファイル名と、が入力データにより対応付けられているため、図５に示すように、入力データと取込画像ファイルとを関連づけた表示や、入力データの送信後、携帯電話２の表示部２０２に表示されている表示データの変化が利用者に確認されるまでの時間間隔の確認等が可能となり、実機テスト時における取込画像ファイルの管理機能を一層高めることができる。
【００５１】
また、利用者に図４の再テストブロック１１６が操作されると、操作時に選択されていた実機テストの識別名に基づいて、図３の記録部１０３に記録しておいた複数の入力データからなる操作記録が呼び出され、この操作記録に基づく実機テストが実施されることにより、携帯電話２への一連の操作と、取込画像ファイルの記録と、を自動的に実施でき、同一内容の実機テストを容易に何度も実施できる。
【００５２】
また、利用者は、図４の携帯電話型インタフェース１１０の携帯電話型ボタン１１３により、携帯電話２の入力部２０３を操作する場合と同様の操作で、携帯電話２の入力部２０３の入力内容を示す操作データに変換可能な情報を入力できるばかりか、図４の携帯電話型インタフェース１１０の画像表示ブロック１１２と携帯電話型ボタン１１３の位置関係（例えば、画像表示ブロック１１２の下部に携帯電話型ボタン１１３を配置）が携帯電話２の表示部２０２と入力部２０３との配置位置関係と同様となるように、画面上に同時に表示するため、携帯電話２を見る場合と同様の視認動作で撮像装置３０１から取り込んだ画像を確認でき、実機テストを一層容易に進められる。
【００５３】
また、利用者は、図４の携帯電話型インタフェース１１０により携帯電話２を操作する場合と同様の操作が可能なばかりか、図４の携帯電話型インタフェース１１０の表示ブロック１１２には携帯電話２の表示部２０２に表示されている表示データが、図２の撮像装置３０１に撮像されてそのまま表示されているため、携帯電話２に手や視線を移動させずに携帯電話２の実機テストを実施でき、実機テストを一層容易に進められる。
【００５４】
以上、本発明の実施例１を図面に基づいて説明してきたが、本発明はこれら実施例に限定されるものではなく、本発明の主旨を逸脱しない範囲における変更や追加があっても本発明に含まれることは言うまでもない。
【００５５】
例えば、前記実施例は、図４の携帯電話型インタフェース１１０の撮影ボタン１１１が操作されたことを条件に、撮像装置３０１から撮像ケーブル５を介して取り込まれている携帯電話２の表示部２０２に表示されている表示データが記録部１０３に記録される構成となっているが、図4の携帯電話型インタフェース１１０の携帯電話型ボタン１１３が操作されて、この携帯電話型ボタン１１３を操作した旨を示す情報が、図３の記録部１０３に記録された携帯電話機種別情報に基づいて携帯電話２の入力部２０３の入力内容を示す操作データに変換されて、この変換された操作データが通信ケーブル４を介して携帯電話２に送信された後、所定時間（例えば、１秒）が経過したことを条件に、撮像装置３０１から取り込んでいる携帯電話２の表示データを取込時間とともに記録部１０３に記録する構成としてもよい。
【００５６】
また、撮像装置３０１から取り込まれている携帯電話２の表示データを所定の検出時間（例えば、１秒）ごとに図３の記録部１０３に一時取込画像ファイルとして記録しておくとともに、現在の取込画像と所定の検出時間前に取り込まれた一時取込画像ファイルとが相違していたことを条件に、現在の取込画像を取込画像ファイルとして記録部１０３に記録する構成としてもよい。
【００５７】
また、前記実施例では、図４の携帯電話型インタフェースを用いて入力された操作記録のみを図３の記録部１０３に記録する構成としているが、操作記録は、図４の携帯電話型インタフェースを用いて記録された操作記録と同様の書式で記録されていればよく、予めテキストエディタ等で作成し、記録部１０３に保存しておく構成としてもよい。
【００５８】
また、前記実施例では、図４のテスト開始ボタン１１４が操作されてからテスト終了ボタン１１５が操作されるまでの操作内容及び取込画像ファイル名を、実機テスト１回分の操作記録として図３の記録部に記録する構成としているが、図４の携帯電話型インタフェースの起動から終了までの操作内容及び取込画像ファイル名を、実機テスト１回分の操作記録として図３の記録部に記録する構成としてもよい。
【００５９】
また、前記実施例では、図１に示すように、携帯電話２が設置された取込装置３がコンピュータ１に接続されており、このコンピュータ１の入出力部１０２に表示された携帯電話型インタフェース１１０を介して、利用者がコンピュータ１から携帯電話２を物理的に操作することなく実機テストを行える構成としているが、携帯電話２が設置された取込装置３が接続されたコンピュータ１とインターネットやＬＡＮ等の通信手段によりデータ通信可能に接続されたコンピュータ１’の入出力部１０２に表示された携帯電話型インタフェース１１０を介して、利用者が、コンピュータ１’から携帯電話２を物理的に操作することなく実機テストを行える構成としてもよい。このようにすれば、携帯電話２が接続されたコンピュータ１と、携帯電話型インタフェース１１０を表示するコンピュータ１’とが、物理的に離れた場所に設置してある場合にも、利用者は、コンピュータ１’から携帯電話２の実機テストを実施できる。
【図面の簡単な説明】
【００６０】
【図１】本発明の第１実施例である携帯電話用実機テスト装置の構成を示す図である。
【図２】携帯電話用実機テスト装置を構成する取込装置３の断面図である。
【図３】携帯電話用実機テスト装置のブロック図である。
【図４】携帯電話用実機テスト装置を構成するコンピュータ１の入出力部１０２に表示される携帯電話型インタフェースの一例を示す図である。
【図５】コンピュータ１の入出力部１０２において、実機テストの結果として表示される画面の一例を示す図である。
【図６】コンピュータ１の記録部１０３に記録される複数の入力データからなる操作記録（実機テスト１回分）の一例を示す図である。
【図７】コンピュータ１の制御部１０１で行われるメイン処理のフローチャートである。
【符号の説明】
【００６１】
１                コンピュータ
２                携帯電話
３                取込装置
３ａ              ケース本体
４                通信ケーブル
５                撮像ケーブル
１０１            制御部
１０２            入出力部
１０２ａ          ディスプレイ
１０２ｂ          キーボード
１０２ｃ          マウス
１０３            記録部
１０４            通信部1
１０５            通信部2
１１０            実機テスト画面
１１１            撮影ボタン
１１２            画像表示ブロック
１１３            携帯電話型ボタン
１１４            テスト開始ボタン
１１５            テスト終了ボタン
１１６            再テスト操作ブロック
１１７            結果確認操作ブロック
１１８            文字送信操作ブロック
１１９            アドレス接続操作ブロック
１２０            機種名
２０１            制御部
２０２            表示部
２０３            入力部
２０４            通信部
３０１            撮像装置
３０２            保持蓋
３０３            弾性部材
３０４            透明部
【図１】
2005167595.tif 000003
【図２】
2005167595.tif 000004
【図３】
2005167595.tif 000005
【図４】
2005167595.tif 000006
【図５】
2005167595.tif 000007
【図６】
2005167595.tif 000008
【図７】
2005167595.tif 000009